(57)【要約】【課題】  管理情報システム（MIS）で集中管理されたワークフローが、限られたオフラインフィニッシャー装置を効率良く使用したものとなるとは限らない。【解決手段】  管理情報サーバ、フィニッシャーコントローラ及びオフラインフィニッシャーからなるオフラインフィニッシャーシステムにおいて、前記フィニッシャーコントローラがジョブフロー及び作業内容の情報を受信する手段と、前記情報に基づきジョブの終了時刻を見積もる手段と、前記ジョブの終了時刻と前記オフラインフィニッシャーの稼動状況からフィニッシングの作業フローを変更させるか否かを判断する手段と、前記作業フローを変更する場合には作業変更を作業者に通知する手段を有することを特徴とするオフラインフィニッシャーシステムとする。【選択図】  図１
2007164600.tif 000002
【特許請求の範囲】
【請求項１】
管理情報サーバ、フィニッシャーコントローラ及びオフラインフィニッシャーからなるオフラインフィニッシャーシステムにおいて、前記フィニッシャーコントローラがジョブ情報を受信する手段と、前記情報に基づきジョブの終了時刻を見積もる手段と、前記ジョブの終了時刻と前記オフラインフィニッシャーの稼動状況からフィニッシングの作業フローを変更させるか否かを判断する手段と、前記作業フローを変更する場合には作業変更を作業者に通知する手段を有することを特徴とするオフラインフィニッシャーシステム。
【請求項２】
請求項1に記載のオフラインフィニッシャーシステムにおいて、前記フィニッシャーコントローラがジョブ情報を受信する手段は、前記情報を記憶したICタグが埋め込まれた紙から前記情報を読み取る手段を有することを特徴とするオフラインフィニッシャーシステム。
【請求項３】
請求項1に記載のオフラインフィニッシャーシステムにおいて、前記フィニッシャーコントローラがジョブ情報を受信する手段は、前記管理情報サーバがネットワークを介して前記情報を送信する手段と、前記フィニッシャーコントローラが前記情報を受信する手段を有することを特徴とするオフラインフィニッシャーシステム。
【請求項４】
請求項1に記載のオフラインフィニッシャーシステムにおいて、情報は、JDF（Job Description Format）形式であることを特徴とするオフラインフィニッシャーシステム。
【発明の詳細な説明】
【技術分野】
【０００１】
JDF（Job Description Format）ワークフローに対応したオフラインフィニッシャーシステムに関するものである。
【背景技術】
【０００２】
印刷業界では、ワークフローの効率化を目的とした印刷全工程に亘る規格・統合化が進められている。その1つに、印刷全工程に共通の指示書であるJDFを用いたワークフローがあり、近い将来の印刷における情報交換の鍵になると期待されている。また、見積り、受発注の処理、進捗管理、スケジューリング、売り上げの集計、作業実績など、印刷現場の生産工程とは別に動いている一連のフローを管理する管理情報システム（MIS）との連携も行われてきている。
【特許文献１】特開2003-029956号公報
【発明の開示】
【発明が解決しようとする課題】
【０００３】
しかし、管理情報システム（MIS）で集中管理されたワークフローが、限られたオフラインフィニッシャー装置を効率良く使用したものとなるとは限らない。
【課題を解決するための手段】
【０００４】
上記課題を解決するために、請求項１の発明では、管理情報サーバ、フィニッシャーコントローラ及びオフラインフィニッシャーからなるオフラインフィニッシャーシステムにおいて、前記フィニッシャーコントローラがジョブ情報を受信する手段と、前記情報に基づきジョブの終了時刻を見積もる手段と、前記ジョブの終了時刻と前記オフラインフィニッシャーの稼動状況からフィニッシングの作業フローを変更させるか否かを判断する手段と、前記作業フローを変更する場合には作業変更を作業者に通知する手段を有することを特徴としている。
【０００５】
上記課題を解決するために、請求項２の発明では、請求項1に記載の前記フィニッシャーコントローラがジョブ情報を受信する手段は、前記情報を記憶したICタグが埋め込まれた紙から前記情報を読み取る手段を有することを特徴としている。
【０００６】
上記課題を解決するために、請求項３の発明では、請求項1に記載の前記フィニッシャーコントローラがジョブ情報を受信する手段は、前記管理情報サーバがネットワークを介して前記情報を送信する手段と、前記フィニッシャーコントローラが前記情報を受信する手段を有することを特徴としている。
【０００７】
上記課題を解決するために、請求項４の発明では、請求項1に記載の情報は、JDF（Job Description Format）形式であることを特徴としている。
【発明の効果】
【０００８】
本発明のオフラインフィニッシャーシステムによって、管理情報システム（MIS）での集中管理を必要としないワークフロー変更手段が提供され、各ジョブの作業内容に応じた効率的なジョブフローが構築できる。
【発明を実施するための最良の形態】
【０００９】
次に、本発明の詳細を実施例の記述に従って説明する。
【実施例１】
【００１０】
図１は本発明に係る、システム構成図の１例である。管理サーバ１０１、フィニッシャーコントローラ１０２，１０５，１０８、ＩＣタグ読取装置１０４，１０７，１０９、及びフィニッシャー１０３，１０６，１１０から構成される。管理サーバ１０１とフィニッシャーコントローラ１０２，１０５，１０８はネットワーク１１１を介して繋がっており、またフィニッシャーコントローラ１０２，１０５，１０８の各々とＩＣタグ読取装置１０４，１０７，１０９の各々はプライベートネットワークで繋がっている。
【００１１】
図２−cに、ジョブチケットの構成例を示す。ジョブチケットには、それぞれジョブ名２０１、発行日時２０２、ジョブフロー２０３、各フィニッシャーの作業内容２０４等が記述されている。これらは、紙に埋め込まれたＩＣタグに書き込まれている。
【００１２】
図３のフローチャートを用いて、本発明の実施例について説明する。ステップ３０１において、ジョブチケット２０５（図２−a）が書き込まれたＩＣタグが埋め込まれた用紙とＡジョブがフィニッシャー１０３へ到着する。ステップ３０２において、ＩＣタグ読み取り装置１０４がジョブチケット２０５の情報を読み取り、ステップ３０３において、フィニッシャーコントローラ１０２へジョブチケット２０５の情報を転送する。ステップ３０４において、フィニッシャーコントローラがジョブチケット２０５の情報を受信し、ステップ３０５において、ジョブチケット２０５のフィニッシャー作業内容の情報とフィニッシャーコントローラ１０２が管理するフィニッシャー１０３の使用状況を示すテーブルからAジョブ終了時刻を見積もる。使用状況を示すテーブルの１例を図４に示す。ステップ３０６において、ジョブAの実行命令が、フィニッシャーコントローラ１０２の表示画面上に表示される（図５）。
【００１３】
ステップ３０７において、ジョブチケット２０６（図２-ｂ）が書き込まれたＩＣタグが埋め込まれた用紙とＢジョブがフィニッシャー１０３へ到着する。ステップ３０８において、ＩＣタグ読取装置１０４がジョブチケット２０６の情報を読み取り、ステップ３０９において、フィニッシャーコントローラ１０２へジョブチケット２０６の情報を転送する。ステップ３１０において、フィニッシャーコントローラ１０２はジョブチケット２０６の情報を受信し、ステップ３１１において、フィニッシャーコントローラ１０５からフィニッシャー１０６の稼動状況を示すテーブル（図５）を取得し、ステップ３１２において、ジョブチケット２０６とフィニッシャー１０６の稼動状況からフィニッシャー１０６でのBジョブ終了時刻を見積もる。
【００１４】
ステップ３１３において、フィニッシャーコントローラ１０２は、AジョブとBジョブの終了時刻が同一になるように、Aジョブ終了時刻とBジョブ終了時刻からフィニッシャー１０３へのBジョブ割り込み時刻を決定する。ステップ３１４において、フィニッシャーコントローラ１０２は、Bジョブ割り込み時刻において、フィニッシャー１０６が稼動中であるかどうかをフィニッシャー１０６の稼動状況を示すテーブルから判断する。稼動中である場合には、ステップ３１５において、フィニッシャーコントローラ１０２は、Bジョブ割り込みを行わず、Aジョブ実行命令をフィニッシャーコントローラ１０２の表示画面に表示した状態をAジョブ終了まで保持しておく。稼動中でない場合には、ステップ３１６において、フィニッシャーコントローラ１０２は、Bジョブ割り込み時刻に、フィニッシャーコントローラ１０２の表示画面上に、Aジョブを中断しBジョブを開始する命令を表示する（図６）。そして、Bジョブが終了したら、フィニッシャコントローラ１０２が表示画面上にAジョブ再開命令を表示させる（ステップ３１７）。
【実施例２】
【００１５】
本発明は、前述の実施例１に限られるものではない。前記実施例１においては、ステップ３０１、３０２、３０３、３０４及びステップ３０７、３０８、３０９、３１０において、フィニッシャコントローラがジョブチケットの情報を取得する方法として、用紙に埋め込まれたICタグを介して取得する方法を用いたが、これに限らず、ネットワーク１１１を介してジョブチケットの情報を取得する方法であっても構わない。
【図面の簡単な説明】
【００１６】
【図１】システム構成図。
【図２】aはジョブAのジョブチケット、bはジョブBのジョブチケット、cはジョブチケットの構成例。
【図３】本発明の実施例を説明するフローチャート。
【図４】稼動状況を示すテーブルの例。
【図５】フィニッシャコントローラの表示画面  その１。
【図６】フィニッシャコントローラの表示画面  その２。
【図１】
2007164600.tif 000003
【図２】
2007164600.tif 000004
【図３】
2007164600.tif 000005
【図４】
2007164600.tif 000006
【図５】
2007164600.tif 000007
【図６】
2007164600.tif 000008